(57)【特許請求の範囲】
【請求項１】
水平方向に風が流れる流路部に、前記流路部を開閉可能に設けられ、水平面内で前記流路部における前記風の流れ方向に直交する流路幅方向で互いに対向して設けられた一対の扉本体と、
一対の前記扉本体の前記流路幅方向外側の端部にそれぞれ設けられ、上下方向に延びて前記扉本体を回動可能に支持する支持軸部と、を備え、
前記支持軸部は、下方から上方に向かって前記流路幅方向内側に傾斜している
シャッター装置。
【請求項２】
前記支持軸部は、下方から上方に向かって前記風の流れ方向上流側に傾斜している
請求項１に記載のシャッター装置。
【請求項３】
一対の前記扉本体の一方の前記扉本体に設けられた前記支持軸部と、他方の前記扉本体に設けられた前記支持軸部とは、上下方向に対する傾斜角度が互いに異なる
請求項１又は２に記載のシャッター装置。
【請求項４】
一対の前記扉本体は、前記流路部を閉塞した状態で、一方の前記扉本体の前記流路幅方向内側の端部と、他方の前記扉本体の前記流路幅方向内側の端部とが、前記風の流れ方向で互いに重なり合っている
請求項１から３のいずれか一項に記載のシャッター装置。
【請求項５】
水平方向に風が流れる流路部に、前記流路部を開閉可能に設けられ、水平面内で前記流路部における前記風の流れ方向に直交する流路幅方向で互いに対向して設けられた一対の扉本体と、
一対の前記扉本体の前記流路幅方向外側の端部にそれぞれ設けられ、上下方向に延びて前記扉本体を回動可能に支持する支持軸部と、を備え、
前記支持軸部は、下方から上方に向かって前記風の流れ方向上流側に傾斜し、
一対の前記扉本体の一方の前記扉本体に設けられた前記支持軸部と、他方の前記扉本体に設けられた前記支持軸部とは、上下方向に対する傾斜角度が互いに異なる
シャッター装置。
【請求項６】
水平方向に風が流れる流路部に、前記流路部を開閉可能に設けられ、水平面内で前記流路部における前記風の流れ方向に直交する流路幅方向で互いに対向して設けられた一対の扉本体と、
一対の前記扉本体の前記流路幅方向外側の端部にそれぞれ設けられ、上下方向に延びて前記扉本体を回動可能に支持する支持軸部と、を備え、
前記支持軸部は、下方から上方に向かって前記風の流れ方向上流側に傾斜し、
一対の前記扉本体は、前記流路部を閉塞した状態で、一方の前記扉本体の前記流路幅方向内側の端部と、他方の前記扉本体の前記流路幅方向内側の端部とが、前記風の流れ方向で互いに重なり合っている
シャッター装置。
【請求項７】
前記流路部に前記風を送り込むファンを囲い、前記ファンによる前記風の流入口、および前記風の吐出口を備えたケース部をさらに備え、
前記扉本体および前記支持軸部は、前記ケース部の前記吐出口に設けられている
請求項１から６のいずれか一項に記載のシャッター装置。
【請求項８】
前記風を水平方向に送るファンと、
前記ファンからの前記風が流れる流路部に設けられた、請求項１から６のいずれか一項に記載のシャッター装置と、
前記ファンに対して、前記ファンによる前記風の流れ方向下流側に設けられた電子部品と、
前記ファン、前記シャッター装置、および前記電子部品を収容する筐体と、を備える
電子機器。
【発明の詳細な説明】
【技術分野】
【０００１】
本発明は、シャッター装置、電子機器に関する。
【背景技術】
【０００２】
送風ファンの送風口に、運転時には開状態とされ、停止時には閉状態とされるシャッター装置が設けられることがある。
【０００３】
特許文献１には、縦方向に延長する扉本体（翼板）と、左右方向に間隔をおいて多数配置され、翼板の一側端が固定された支持軸部（縦杆）と、を備える構成が開示されている。この構成において、支持軸部の上部および下部は、枠材に回動自在に取り付けられている。支持軸部は、上部から下部に向かって前方に傾斜するとともに、左右方向の一方に傾斜するように配置されている。
【先行技術文献】
【特許文献】
【０００４】
【特許文献１】実開昭５８−１６７８３０号公報
【発明の概要】
【発明が解決しようとする課題】
【０００５】
しかしながら、特許文献１に開示された構成では、ファンの風力によっては、扉本体は、閉状態と開状態（全開状態）との間の中開状態となることがある。この状態で、扉本体は、ファンによる風の流れ方向に対して傾斜している。すると、ファンによる風が、傾斜した扉本体によって左右方向に斜めに案内され、冷却対象物に流れにくい。
【０００６】
本発明の目的は、上述したいずれかの課題を解決するシャッター装置、電子機器を提供することにある。
【課題を解決するための手段】
【０００７】
本発明の第一の態様のシャッター装置は、水平方向に風が流れる流路部に、前記流路部を開閉可能に設けられ、水平面内で前記流路部における前記風の流れ方向に直交する流路幅方向で互いに対向して設けられた一対の扉本体と、一対の前記扉本体の前記流路幅方向外側の端部にそれぞれ設けられ、上下方向に延びて前記扉本体を回動可能に支持する支持軸部と、を備え、前記支持軸部は、下方から上方に向かって前記流路幅方向内側に傾斜している。
【０００８】
本発明の第二の態様のシャッター装置は、水平方向に風が流れる流路部に、前記流路部を開閉可能に設けられ、水平面内で前記流路部における前記風の流れ方向に直交する流路幅方向で互いに対向して設けられた一対の扉本体と、一対の前記扉本体の前記流路幅方向外側の端部にそれぞれ設けられ、上下方向に延びて前記扉本体を回動可能に支持する支持軸部と、を備え、前記支持軸部は、下方から上方に向かって前記風の流れ方向上流側に傾斜している。
【０００９】
本発明の第三の態様の電子機器は、前記風を水平方向に送るファンと、前記ファンからの前記風が流れる流路部に設けられた、上記シャッター装置と、前記ファンに対して、前記ファンによる前記風の流れ方向下流側に設けられた電子部品と、前記ファン、前記シャッター装置、および前記電子部品を収容する筐体と、を備える。
【発明の効果】
【００１０】
上述の一態様によれば、ファンによる風が、冷却対象物に流れやすい。
【図面の簡単な説明】
【００１１】
【図１】本発明のシャッター装置の最小構成を示す斜視図である。
【図２】本発明のシャッター装置の一対の扉本体の開状態を示す正面図である。
【図３】本発明のシャッター装置の一対の扉本体の中開状態を示す平面図である。
【図４】本発明のシャッター装置の最小構成を示す斜視図である。
【図５】本発明のシャッター装置の一対の扉本体の開状態を示す側面図である。
【図６】本発明のシャッター装置の一対の扉本体の中開状態を示す平面図である。
【図７】本発明の電子機器の最小構成を示す図である。
【図８】本発明の電子機器の全体構成を示す平面図である。
【図９】本発明のシャッター装置の開状態を示す斜視図である。
【図１０】本発明のシャッター装置の閉状態を示す斜視図である。
【図１１】本発明のシャッター装置の開状態を示す正面図である。
【図１２】本発明のシャッター装置の開状態を示す側面図である。
【図１３】本発明のシャッター装置の開状態を示す平面図である。
【図１４】本発明のシャッター装置の中開状態を示す平面図である。
【図１５】本発明のシャッター装置の第１変形例の構成を示す正面図である。
【図１６】本発明のシャッター装置の第２変形例の構成を示す要部拡大図である。
【図１７】本発明のシャッター装置の他の変形例の構成を示す斜視図である。
【発明を実施するための形態】
【００１２】
本発明の複数の実施形態に関して図面を参照して以下に説明する。
［第１の実施形態］
図１は、本実施形態によるシャッター装置の最小構成を示す斜視図である。図２は、本実施形態によるシャッター装置の一対の扉本体の開状態を示す正面図である。図３は、本実施形態によるシャッター装置の一対の扉本体の中開状態を示す平面図である。
これらの図が示すように、シャッター装置１０Ａは、一対の扉本体１１Ａ、１２Ａと、支持軸部１３Ａ、１４Ａと、を少なくとも備えていればよい。
【００１３】
一対の扉本体１１Ａ、１２Ａは、水平方向に風Ｗが流れる流路部１７Ａに設けられている。一対の扉本体１１Ａ、１２Ａは、流路部１７Ａを開閉可能に設けられている。一対の扉本体１１Ａ、１２Ａは、水平面内で流路部１７Ａにおける風Ｗの流れ方向Ｄｆに直交する流路幅方向Ｄｗで、互いに対向して設けられている。
【００１４】
支持軸部１３Ａ、１４Ａは、一対の扉本体１１Ａ、１２Ａの流路幅方向Ｄｗ外側の端部にそれぞれ設けられている。支持軸部１３Ａ、１４Ａは、上下方向に延びて扉本体１１Ａ、１２Ａを回動可能に支持する。支持軸部１３Ａ、１４Ａは、下方から上方に向かって流路幅方向Ｄｗ内側に傾斜している。
【００１５】
このシャッター装置１０Ａにおいて、一対の扉本体１１Ａ、１２Ａは、流路部１７Ａを流れる風Ｗによって流れ方向Ｄｆに押圧されることによって、扉本体１１Ａ、１２Ａが支持軸部１３Ａ、１４Ａを中心として開方向に回動し、開状態となる。
図２に示すように、支持軸部１３Ａ、１４Ａが下方から上方に向かって流路幅方向Ｄｗ内側に傾斜している。このため、扉本体１１Ａ、１２Ａが開状態であるとき、扉本体１１Ａ、１２Ａには、自重による重力方向の力Ｆ１によって、扉本体１１Ａ、１２Ａが閉じる方向への分力Ｆａが発生している。風Ｗの流れが弱まると、扉本体１１Ａ、１２Ａに発生している分力Ｆａにより、扉本体１１Ａ、１２Ａが支持軸部１３Ａ、１４Ａを中心として閉じる方向に回動し、閉状態となる。
図３に示すように、扉本体１１Ａ、１２Ａは、流路幅方向Ｄｗで互いに対向する一対で設けられている。このため、風Ｗによって扉本体１１Ａ、１２Ａが全開状態となっておらず、風Ｗの流れ方向Ｄｆに対して傾斜した中開状態では、流れ方向Ｄｆ上流側から下流側に向かって、一対の扉本体１１Ａ、１２Ａの間隔が漸次狭くなっている。
このとき、風Ｗは、流路幅方向Ｄｗ両側の、傾斜した扉本体１１Ａ、１２Ａに当たることで、流路幅方向Ｄｗ内側に流れの向きが変わる。さらに、流路幅方向Ｄｗ一方側の扉本体１１Ａ、１２Ａに当たった風Ｗの流れと、流路幅方向Ｄｗ他方側の扉本体１１Ａ、１２Ａに当たった風Ｗの流れとが交錯する。
その結果、これらの扉本体１１Ａ、１２Ａの下流側における風Ｗの流れが、流路部１７Ａにおける風Ｗの流れ方向Ｄｆに沿ったものとなり、ファン４Ａによる風Ｗが、冷却対象物に流れやすい。
また、一対の扉本体１１Ａ、１２Ａの間隔が、流れ方向Ｄｆ上流側から下流側に向かって漸次狭くなることで、扉本体１１Ａ、１２Ａの間で、風Ｗの流速が高まる。
【００１６】
［第２の実施形態］
図４は、本実施形態によるシャッター装置の最小構成を示す斜視図である。図５は、本実施形態によるシャッター装置の一対の扉本体の開状態を示す側面図である。図６は、本実施形態によるシャッター装置の一対の扉本体の中開状態を示す平面図である。
これらの図が示すように、シャッター装置１０Ｂは、一対の扉本体１１Ｂ、１２Ｂと、支持軸部１３Ｂ、１４Ｂと、を少なくとも備えていればよい。
【００１７】
一対の扉本体１１Ｂ、１２Ｂは、水平方向に風Ｗが流れる流路部１７Ｂに設けられている。一対の扉本体１１Ｂ、１２Ｂは、流路部１７Ｂを開閉可能に設けられている。一対の扉本体１１Ｂ、１２Ｂは、水平面内で流路部１７Ｂにおける風Ｗの流れ方向Ｄｆに直交する流路幅方向Ｄｗで、互いに対向して設けられている。
【００１８】
支持軸部１３Ｂ、１４Ｂは、一対の扉本体１１Ｂ、１２Ｂの流路幅方向Ｄｗ外側の端部にそれぞれ設けられている。支持軸部１３Ｂ、１４Ｂは、上下方向に延びて扉本体１１Ｂ、１２Ｂを回動可能に支持する。支持軸部１３Ｂ、１４Ｂは、下方から上方に向かって風Ｗの流れ方向Ｄｆ上流側に傾斜している。
【００１９】
このシャッター装置１０Ｂは、一対の扉本体１１Ｂ、１２Ｂは、流路部１７Ｂを流れる風Ｗによって流れ方向Ｄｆに押圧されることで、扉本体１１Ｂ、１２Ｂが支持軸部１３Ｂ、１４Ｂを中心として開方向に回動し、開状態となる。
図５に示すように、支持軸部１３Ｂ、１４Ｂが下方から上方に向かって風Ｗの流れ方向Ｄｆ上流側に傾斜している。このため、扉本体１１Ｂ、１２Ｂの開状態では、扉本体１１Ｂ、１２Ｂには、自重による重力方向の力Ｆ２によって、扉本体１１Ｂ、１２Ｂが閉じる方向への分力Ｆｂが発生している。風Ｗの流れが弱まると、扉本体１１Ｂ、１２Ｂに発生している分力Ｆｂにより、扉本体１１Ｂ、１２Ｂが支持軸部１３Ｂ、１４Ｂを中心として閉方向に回動し、閉状態となる。
図６に示すように、扉本体１１Ｂ、１２Ｂは、流路幅方向Ｄｗで互いに対向する一対で設けられている。このため、扉本体１１Ｂ、１２Ｂが全開状態となっておらず、風Ｗの流れ方向Ｄｆに対して傾斜した中開状態では、流れ方向Ｄｆ上流側から下流側に向かって、一対の扉本体１１Ｂ、１２Ｂの間隔が漸次狭くなっている。
このとき、風Ｗは、流路幅方向Ｄｗ両側の、傾斜した扉本体１１Ｂ、１２Ｂに当たることで、流路幅方向Ｄｗ内側に流れの向きが変わる。さらに、流路幅方向Ｄｗ一方側の扉本体１１Ｂ、１２Ｂに当たった風Ｗの流れと、流路幅方向Ｄｗ他方側の扉本体１１Ｂ、１２Ｂに当たった風Ｗの流れとが交錯する。
その結果、これらの扉本体１１Ｂ、１２Ｂの下流側における風Ｗの流れが、流路部１７Ｂにおける風Ｗの流れ方向Ｄｆに沿ったものとなり、ファン４Ｂによる風Ｗが、冷却対象物に流れやすい。
また、一対の扉本体１１Ｂ、１２Ｂの間隔が、流れ方向Ｄｆ上流側から下流側に向かって漸次狭くなることで、扉本体１１Ｂ、１２Ｂの間で、風Ｗの流速が高まる。
【００２０】
［第３の実施形態］
図７は、本実施形態による電子機器の最小構成を示す図である。
この図が示すように、電子機器１Ｃは、筐体２Ｃと、ファン４Ｃと、シャッター装置１０Ｃと、電子部品３Ｃと、を少なくとも備えていればよい。
【００２１】
筐体２Ｃは、ファン４Ｃ、シャッター装置１０Ｃ、および電子部品３Ｃを収容する。ファン４Ｃは、風Ｗを水平方向に送る。電子部品３Ｃは、ファン４Ｃに対して、ファン４Ｃによる風Ｗの流れ方向Ｄｆ下流側に設けられている。シャッター装置１０Ｃは、ファン４Ｃからの風Ｗが流れる流路部１７Ｃに設けられている。
【００２２】
シャッター装置１０Ｃは、上記第１の実施形態で示したシャッター装置１０Ａ、または上記第２の実施形態で示したシャッター装置１０Ｂである。シャッター装置１０Ｃは、一対の扉本体１１Ｃ、１２Ｃと、支持軸部１３Ｃ、１４Ｃと、を備えている。
【００２３】
一対の扉本体１１Ｃ、１２Ｃは、水平方向に風Ｗが流れる流路部１７Ｃに設けられている。一対の扉本体１１Ｃ、１２Ｃは、流路部１７Ｃを開閉可能に設けられている。一対の扉本体１１Ｃ、１２Ｃは、水平面内で流路部１７Ｃにおける風Ｗの流れ方向Ｄｆに直交する流路幅方向Ｄｗで、互いに対向して設けられている。
【００２４】
支持軸部１３Ｃ、１４Ｃは、一対の扉本体１１Ｃ、１２Ｃの流路幅方向Ｄｗ外側の端部にそれぞれ設けられている。支持軸部１３Ｃ、１４Ｃは、上下方向に延びて扉本体１１Ｃ、１２Ｃを回動可能に支持する。支持軸部１３Ｃ、１４Ｃは、下方から上方に向かって、流路幅方向Ｄｗ内側、または風Ｗの流れ方向Ｄｆ上流側に傾斜している。
【００２５】
このようなシャッター装置１０Ｃは、上記第１の実施形態で示したシャッター装置１０Ａ、または上記第２の実施形態で示したシャッター装置１０Ｂと同様、扉本体１１Ｃ、１２Ｃが、流路幅方向Ｄｗで互いに対向する一対で設けられている。このため、扉本体１１Ｃ、１２Ｃが全開状態となっておらず、風Ｗの流れ方向Ｄｆに対して傾斜した中開状態では、流れ方向Ｄｆ上流側から下流側に向かって、一対の扉本体１１Ｃ、１２Ｃの間隔が漸次狭くなっている。
このとき、流路幅方向Ｄｗ一方側の扉本体１１Ｃ、１２Ｃに当たった風Ｗの流れと、流路幅方向Ｄｗ他方側の扉本体１１Ｃ、１２Ｃに当たった風Ｗの流れとが交錯する。
その結果、これらの扉本体１１Ｃ、１２Ｃの下流側における風Ｗの流れが、流路部１７Ｃにおける風Ｗの流れ方向Ｄｆに沿ったものとなり、ファン４Ｃによる風Ｗが、冷却対象物に流れやすい。
また、一対の扉本体１１Ｃ、１２Ｃの間隔が、流れ方向Ｄｆ上流側から下流側に向かって漸次狭くなることで、扉本体１１Ｃ、１２Ｃの間で、風Ｗの流速が高まる。
【００２６】
この電子機器１Ｃでは、上記シャッター装置１０Ｃを備える。
このため、ファン４Ｃによる風Ｗが冷却対象物に流れやすいシャッター装置１０Ｃを備えた電子機器１Ｃを提供することができる。
【００２７】
［第４の実施形態］
図８は、本実施形態による電子機器の全体構成を示す平面図である。
この図が示す本実施形態の電子機器１Ｄは、例えば、サーバーをはじめとする各種のコンピュータ装置、各種の電化製品等、発熱性を有する電子部品を備えた電子機器１Ｄである。電子機器１Ｄは、筐体２Ｄと、ファン４Ｄと、シャッター装置１０Ｄと、電子部品３Ｄと、を少なくとも備えている。
以下の説明において、ファン４Ｄによる風Ｗが流れる方向を流れ方向Ｄｆ、水平面内で流れ方向Ｄｆに直交する方向を流路幅方向Ｄｗ、流れ方向Ｄｆおよび流路幅方向Ｄｗに直交する方向を上下方向Ｄｖとする。
【００２８】
筐体２Ｄは、全体として直方体状の中空箱状をなしている。筐体２Ｄは、上下方向Ｄｖから平面視すると矩形状に形成されている。筐体２Ｄは、上下方向Ｄｖに直交する水平面に沿って設けられる底板２ａと、底板２ａの外周部の各辺から上方に立ち上がる側板２ｂと、側板２ｂ上に設けられる天板（図示無し）と、を備えている。
筐体２Ｄは、ファン４Ｄ、シャッター装置１０Ｄ、および電子部品３Ｄを収容する。
【００２９】
電子部品３Ｄは、例えば、ＣＰＵ（Ｃｅｎｔｒａｌ  Ｐｒｏｃｅｓｓｉｎｇ  Ｕｎｉｔ）等、作動時に発熱するものである。電子部品３Ｄは、筐体２Ｄ内に設けられた基板８上に実装されている。
【００３０】
ファン４Ｄは、風Ｗを水平方向に送り、電子部品３Ｄを冷却する。電子部品３Ｄは、ファン４Ｄに対して、ファン４Ｄによる風Ｗの流れ方向Ｄｆ下流側に設けられている。
【００３１】
図９は、本実施形態によるシャッター装置の開状態を示す斜視図である。図１０は、本実施形態によるシャッター装置の閉状態を示す斜視図である。図１１は、本実施形態によるシャッター装置の開状態を示す正面図である。図１２は、本実施形態によるシャッター装置の開状態を示す側面図である。図１３は、本実施形態によるシャッター装置の開状態を示す平面図である。
これらの図が示すように、シャッター装置１０Ｄは、ファン４Ｄからの風Ｗが流れる流路部１７Ｄに設けられている。シャッター装置１０Ｄは、一対の扉本体１１Ｄ、１２Ｄと、支持軸部１３Ｄ、１４Ｄと、ケース部１６Ｄと、を備えている。
【００３２】
ケース部１６Ｄは、ファン４Ｄを囲うように設けられている。ファン４Ｄによる風Ｗが流れる流路部１７Ｄを画成する。ケース部１６Ｄは、下板１６ａと、側板１６ｂと、上板１６ｃと、前壁１６ｄと、を備えている。
【００３３】
下板１６ａは、上下方向Ｄｖに直交する水平面に沿って設けられている。下板１６ａは、筐体２Ｄの底板２ａ上に固定される。側板１６ｂは、下板１６ａの流路幅方向Ｄｗの両端から上方に向かって延びている。上板１６ｃは、流路幅方向Ｄｗ両側の側板１６ｂ上に設けられている。上板１６ｃは、下板１６ａと平行に設けられている。
【００３４】
これら下板１６ａ、側板１６ｂ、および上板１６ｃにより、ケース部１６Ｄは、流れ方向Ｄｆの両側に開口している。ケース部１６Ｄは、ファン４Ｄによる風Ｗの流れ方向Ｄｆの上流側に、風Ｗの流入口１８Ｄを有している。ケース部１６Ｄは、流れ方向Ｄｆの下流側に、風Ｗの吐出口１９Ｄを有している。
【００３５】
前壁１６ｄは、吐出口１９Ｄの流路幅方向Ｄｗ両側に設けられている。前壁１６ｄは、後述する扉本体１１Ｄ、１２Ｄの流路幅方向Ｄｗの外側で、吐出口１９Ｄを閉塞する。
【００３６】
一対の扉本体１１Ｄ、１２Ｄは、水平方向に風Ｗが流れる流路部１７Ｄに設けられている。扉本体１１Ｄ、１２Ｄは、ケース部１６Ｄの吐出口１９Ｄに設けられている。扉本体１１Ｄ、１２Ｄは、吐出口１９Ｄにおいて流路部１７Ｄを開閉可能に設けられている。扉本体１１Ｄ、１２Ｄは、それぞれ板状で、流路幅方向Ｄｗで互いに対向して設けられている。
【００３７】
支持軸部１３Ｄ、１４Ｄは、一対の扉本体１１Ｄ、１２Ｄの流路幅方向Ｄｗ外側の端部にそれぞれ設けられている。支持軸部１３Ｄ、１４Ｄは、上下方向Ｄｖに延びて扉本体１１Ｄ、１２Ｄを回動可能に支持する。支持軸部１３Ｄ、１４Ｄの上下の端部は、それぞれ、ケース部１６Ｄの上板１６ｃ、下板１６ａに、支持軸部１３Ｄ、１４Ｄの中心軸回りに回動自在に支持されている。
【００３８】
支持軸部１３Ｄ、１４Ｄは、下方から上方に向かって、上下方向Ｄｖに対し、流路幅方向Ｄｗ内側、および風Ｗの流れ方向Ｄｆ上流側に傾斜している。図１１に示すように、支持軸部１３Ｄは、上下方向Ｄｖに対して流路幅方向Ｄｗ内側に、例えば、２°〜８°程度の傾斜角度θｗで傾斜しているのが好ましい。図１２に示すように、支持軸部１３Ｄは、上下方向Ｄｖに対して風Ｗの流れ方向Ｄｆ上流側に、例えば、３°〜７°程度の傾斜角度θｆで傾斜しているのが好ましい。
【００３９】
このような支持軸部１３Ｄ、１４Ｄに支持された扉本体１１Ｄ、１２Ｄは、支持軸部１３Ｄ、１４Ｄ回りに回動自在となっている。扉本体１１Ｄ、１２Ｄは、閉状態では、流れ方向Ｄｆに交差する面に沿い、流路部１７Ｄを閉塞する。扉本体１１Ｄ、１２Ｄは、開状態（全開状態）では、流れ方向Ｄｆを含む鉛直面に沿い、流路部１７Ｄを開放する。
図１０に示すように、扉本体１１Ｄ、１２Ｄが閉状態であるときに、流路幅方向Ｄｗ内側の端部１１ｅ、１２ｅは、上下方向Ｄｖに沿って延びている。扉本体１１Ｄ、１２Ｄの流路幅方向Ｄｗ外側の端部１１ｆ、１２ｆは、支持軸部１３Ｄ、１４Ｄに沿って、上下方向Ｄｖに対して傾斜して延びている。
【００４０】
図９に示すように、ケース部１６Ｄには、扉本体１１Ｄ、１２Ｄが開状態から閉状態に移行するときに、扉本体１１Ｄ、１２Ｄの回動を規制するストッパ部材３０を、ケース部１６Ｄに設けてもよい。ストッパ部材３０には、扉本体１１Ｄ、１２Ｄが衝突したときの衝撃を抑えるため、弾性を有した衝撃吸収材を設けるようにしてもよい。
【００４１】
一対の扉本体１１Ｄ、１２Ｄのそれぞれは、流路部１７Ｄを流れる風Ｗによって流れ方向Ｄｆに押圧されることで、支持軸部１３Ｄ、１４Ｄを中心として開方向に回動し、開状態となる。
図１１、図１２に示すように、支持軸部１３Ｄ、１４Ｄは、下方から上方に向かって、流路幅方向Ｄｗ内側、および風Ｗの流れ方向Ｄｆ上流側に傾斜している。このため、扉本体１１Ｄ、１２Ｄが開状態であるとき、扉本体１１Ｄ、１２Ｄには、自重による重力方向の力Ｆ４によって、扉本体１１Ｄ、１２Ｄが閉じる方向への分力Ｆｄが発生している。風Ｗの流れが弱まると、扉本体１１Ｄ、１２Ｄに発生している分力Ｆｄにより、扉本体１１Ｄ、１２Ｄが支持軸部１３Ｄ、１４Ｄを中心として閉方向に回動し、閉状態となる。
【００４２】
図１４は、本実施形態によるシャッター装置の中開状態を示す平面図である。
図１４に示すように、扉本体１１Ｄ、１２Ｄが、全開状態ではなく、閉状態と開状態との間の中開状態であるとき、扉本体１１Ｄ、１２Ｄは、風Ｗの流れ方向Ｄｆおよび流路幅方向Ｄｗの双方に対して傾斜する。この場合、一対の扉本体１１Ｄ、１２Ｄの間隔は、流れ方向Ｄｆ上流側から下流側に向かって漸次狭くなっている。このため、風Ｗは、流路幅方向Ｄｗ両側の、傾斜した扉本体１１Ｄ、１２Ｄに当たることで、流路幅方向Ｄｗ内側に流れの向きが変わる。流路幅方向Ｄｗ一方側の扉本体１１Ｄ、１２Ｄに当たった風Ｗの流れと、流路幅方向Ｄｗ他方側の扉本体１１Ｄ、１２Ｄに当たった風Ｗの流れとは、互いに交錯する。これによって、扉本体１１Ｄ、１２Ｄの下流側における風Ｗの流れが、流路部１７Ｄにおける風Ｗの流れ方向Ｄｆに沿ったものとなりやすい。
また、一対の扉本体１１Ｄ、１２Ｄの間隔が、流れ方向Ｄｆ上流側から下流側に向かって漸次狭くなることで、扉本体１１Ｄ、１２Ｄの間で、風Ｗの流速が高まる。
【００４３】
このようなシャッター装置１０Ｄでは、流路部１７Ｄの流路幅方向Ｄｗで、互いに対向して設けられた一対の扉本体１１Ｄ、１２Ｄと、扉本体１１Ｄ、１２Ｄを回動可能に支持し、下方から上方に向かって流路幅方向Ｄｗ内側に傾斜する支持軸部１３Ｄ、１４Ｄと、を備えている。
この構成では、扉本体１１Ｄ、１２Ｄは、流路幅方向Ｄｗで互いに対向する一対で設けられている。
このため、扉本体１１Ｄ、１２Ｄが全開状態となっていない状態であっても、ファン４Ｄによる風Ｗが斜めに案内されにくい。
その結果、ファン４Ｄの風力が、冷却対象物に流れやすい。
また、扉本体１１Ｄ、１２Ｄが開状態であるときには、扉本体１１Ｄ、１２Ｄの重心により扉本体１１Ｄ、１２Ｄが閉じる方向への分力Ｆｄが発生している。これにより、風Ｗの流れが弱まると、扉本体１１Ｄ、１２Ｄに発生している分力Ｆｄにより、扉本体１１Ｄ、１２Ｄが支持軸部１３Ｄ、１４Ｄを中心として回動し、自動的に閉状態となる。
【００４４】
このようなシャッター装置１０Ｄでは、支持軸部１３Ｄ、１４Ｄは、下方から上方に向かって風Ｗの流れ方向Ｄｆ上流側に傾斜している。
この構成では、支持軸部１３Ｄ、１４Ｄが下方から上方に向かって流路幅方向Ｄｗ内側に向かって傾斜しているのに加え、風Ｗの流れ方向Ｄｆ上流側にも傾斜しているので、扉本体１１Ｄ、１２Ｄが開状態のときに発生する分力Ｆｄが、より大きくなる。これにより、風Ｗの流れが弱まったときに、扉本体１１Ｄ、１２Ｄが、より一層閉じやすくなる。
【００４５】
このようなシャッター装置１０Ｄでは、ファン４Ｄを囲うケース部１６Ｄをさらに備え、扉本体１１Ｄ、１２Ｄおよび支持軸部１３Ｄ、１４Ｄは、ケース部１６Ｄの吐出口１９Ｄに設けられている。
この構成では、扉本体１１Ｄ、１２Ｄは、ファン４Ｄによる風Ｗの流れ方向Ｄｆ下流側に位置することになる。したがって、ファン４Ｄの動作により風Ｗが生じたときの扉本体１１Ｄ、１２Ｄの開動作、ファン４Ｄの動作が停止したときの扉本体１１Ｄ、１２Ｄの閉動作が、レスポンスよく行われる。
また、ケース部１６Ｄにファン４Ｄを収容することで、ファン４Ｄとシャッター装置１０Ｄとを一体のユニット化することができ、ファン４Ｄおよびシャッター装置１０Ｄを電子機器１Ｄ等に組み込む際の作業性が向上する。
【００４６】
このような電子機器１Ｄでは、ファン４Ｄと、シャッター装置１０Ｄと、電子部品３Ｄと、筐体２Ｄと、を備える。
この構成では、ファン４Ｄによる風Ｗが冷却対象物に流れやすいシャッター装置１０Ｄを備えた電子機器１Ｄを提供することができる。
【００４７】
（第４の実施形態の第１変形例）
図１５は、本実施形態によるシャッター装置の第１変形例の構成を示す正面図である。
この図が示すように、一対の扉本体１１Ｄ、１２Ｄの一方の扉本体１１Ｄに設けられた支持軸部１３Ｄと、他方の扉本体１２Ｄに設けられた支持軸部１４Ｄとで、上下方向Ｄｖに対する傾斜角度θｗの少なくとも一方を、互いに異ならせるようにしてもよい。
【００４８】
例えば、一方の扉本体１１Ｄに設けられた支持軸部１３Ｄの傾斜角度θｗ１を、他方の扉本体１２Ｄに設けられた支持軸部１４Ｄの傾斜角度θｗ２よりも小さくする。
扉本体１１Ｄ、１２Ｄが開状態であるとき、扉本体１１Ｄ、１２Ｄを閉じる方向に付勢する分力Ｆｄ（図１１参照）は、
分力Ｆｄ＝扉本体１１Ｄ、１２Ｄの自重による重力方向の力×ｓｉｎ（傾斜角度）
である。
一方の扉本体１１Ｄに設けられた支持軸部１３Ｄの傾斜角度θｗ（θｗ１）を４°、他方の扉本体１２Ｄに設けられた支持軸部１４Ｄの傾斜角度θｗ（θｗ２）を７°とした場合、扉本体１２Ｄに生じる分力Ｆｄは、扉本体１１Ｄに生じる分力Ｆｄの約１．７倍となる。
すると、一方の扉本体１１Ｄよりも他方の扉本体１２Ｄが速く回動して閉じることになる。
【００４９】
このようなシャッター装置１０Ｄでは、開状態の扉本体１１Ｄ、１２Ｄに発生する分力Ｆｄの大きさが、一方の扉本体１１Ｄと他方の扉本体１２Ｄとで異なる。これにより、一方の扉本体１１Ｄと他方の扉本体１２Ｄとが閉じるタイミングを異ならせることができる。
【００５０】
（第４の実施形態の第２変形例）
図１６は、本実施形態によるシャッター装置の第２変形例の構成を示す要部拡大図である。
この図が示すように、一対の扉本体１１Ｄ、１２Ｄは、閉状態において、一方の扉本体１１Ｄの流路幅方向Ｄｗ内側の端部１１ｅと、他方の扉本体１２Ｄの流路幅方向Ｄｗ内側の端部１２ｅとが、流れ方向Ｄｆで互いに重なり合うようにしてもよい。
【００５１】
このようなシャッター装置１０Ｄでは、閉状態で、一方の扉本体１１Ｄの端部１１ｅと他方の扉本体１２Ｄの端部１２ｅとを互いに重ね合わせることで、扉本体１１Ｄ、１２Ｄ同士の間に生じる隙間を小さくし、密閉性を高めることができる。
【００５２】
このように、一方の扉本体１１Ｄの端部１１ｅと他方の扉本体１２Ｄの端部１２ｅとを互いに重ね合わせる構成では、上記第４の実施形態の第１変形例で示した構成を組み合わせるのが好ましい。すなわち、一方の扉本体１１Ｄに設けられた支持軸部１３Ｄと、他方の扉本体１２Ｄに設けられた支持軸部１４Ｄとで、傾斜角度θｗを互いに異ならせ、一方の扉本体１１Ｄと他方の扉本体１２Ｄとが閉じるタイミングを異ならせる。これにより、閉状態で互いに重なり合う一方の扉本体１１Ｄの端部１１ｅと他方の扉本体１２Ｄの端部１２ｅとが、閉じるときに互いに干渉するのを抑えることができる。
【００５３】
（第４の実施形態の他の変形例）
上記第４の実施形態では、流路幅方向Ｄｗで互いに対向する一対の扉本体１１Ｄ、１２Ｄを備えるようにしたが、流路幅方向Ｄｗで互いに対向して、扉本体を設けるのであれば、二枚以上を一対にして設けてもよい。
図１７は、本実施形態によるシャッター装置の他の変形例の構成を示す斜視図である。
例えば、図１７に示すように、シャッター装置１０Ｅは、流路幅方向Ｄｗの一方の側に設けた二枚の扉本体１１Ｅ、１１Ｆと、流路幅方向Ｄｗの他方の側に設けた二枚の扉本体１２Ｅ、１２Ｆと、を一対にして設けるようにしてもよい。支持軸部１３Ｅ、１３Ｆ、１４Ｅ、１４Ｆは、扉本体１１Ｅ、１１Ｆ、１２Ｅ、１２Ｆの流路幅方向Ｄｗ外側の端部にそれぞれ設けられ、下方から上方に向かって、上下方向Ｄｖに対し、流路幅方向Ｄｗ内側、および風Ｗの流れ方向Ｄｆ上流側の少なくとも一方に傾斜している。
【００５４】
これ以外にも、本発明の主旨を逸脱しない限り、上記実施の形態で挙げた構成を取捨選択したり、他の構成に適宜変更したりすることが可能である。
【符号の説明】
【００５５】
１Ｃ、１Ｄ  電子機器
２Ｃ、２Ｄ  筐体
３Ｃ、３Ｄ  電子部品
４Ａ〜４Ｄ  ファン
１０Ａ〜１０Ｅ  シャッター装置
１１Ａ〜１１Ｆ、１２Ａ〜１２Ｆ  扉本体
１１ｅ、１１ｆ、１２ｅ、１２ｆ  端部
１３Ａ〜１３Ｆ、１４Ａ〜１４Ｆ  支持軸部
１６Ｄ  ケース部
１７Ａ〜１７Ｄ  流路部
１８Ｄ  流入口
１９Ｄ  吐出口
Ｄｆ  流れ方向
Ｄｖ  上下方向
Ｄｗ  流路幅方向
Ｗ  風
θｆ、θｗ、θｗ１、θｗ２  傾斜角度
【図１】
0006951020.tif 000002
【図２】
0006951020.tif 000003
【図３】
0006951020.tif 000004
【図４】
0006951020.tif 000005
【図５】
0006951020.tif 000006
【図６】
0006951020.tif 000007
【図７】
0006951020.tif 000008
【図８】
0006951020.tif 000009
【図９】
0006951020.tif 000010
【図１０】
0006951020.tif 000011
【図１１】
0006951020.tif 000012
【図１２】
0006951020.tif 000013
【図１３】
0006951020.tif 000014
【図１４】
0006951020.tif 000015
【図１５】
0006951020.tif 000016
【図１６】
0006951020.tif 000017
【図１７】
0006951020.tif 000018